(57)【要約】【課題】優れた吸湿性および吸水性を有し、特に冬に使用するこたつ用の敷布団やホットカーペット等の暖房器具あるいは敷布団の下に敷きこれらの湿気を吸収するとともに、急激な温度変化で発生する床面の結露を防ぐことができる結露防止シートを提供する。【解決手段】吸湿性繊維および吸水性繊維を含有する短繊維集合体と透湿度が１００ｇ／ｍ２／２４ｈｒ以下であるフィルムとが積層一体化されたことを特徴とする結露防止シート。好ましい態様として、フィルムがアルミ蒸着フィルムまたはアルミ箔に樹脂をラミネートしたフィルムであることがあげられる。【選択図】なし【特許請求の範囲】
【請求項１】
吸湿性繊維および吸水性繊維を含有する短繊維集合体と透湿度が１００ｇ／ｍ２／２４ｈｒ以下であるフィルムとが積層一体化されたことを特徴とする結露防止シート。
【請求項２】
前記短繊維集合体が吸湿性繊維および吸水性繊維を含まない表皮層と吸湿性繊維および吸水性繊維を含む吸湿吸水層の２層構造からなり、吸湿吸水層側に透湿度が１００ｇ／ｍ２／２４ｈｒ以下であるフィルムが積層されたことを特徴とする請求項１記載の結露防止シート。
【請求項３】
前記透湿度が１００ｇ／ｍ２／２４ｈｒ以下であるフィルムがアルミ蒸着フィルムまたはアルミ箔に樹脂をラミネートしたフィルムのいずれかである請求項１または請求項２に記載の結露防止シート。
【請求項４】
前記吸湿性繊維および吸水性繊維がこれらの両方の機能を兼ね備えた吸湿・吸水性繊維であることを特徴とする請求項１〜請求項３いずれかに記載の結露防止シート。
【発明の詳細な説明】
【０００１】
【発明の属する技術分野】
本発明は結露防止シートに関する。さらに詳しくは、冬場に使用する電気こたつ用敷布団、ホットカーペット等の暖房器具の下あるいは寝具用敷布団の下に敷き、体から出る汗等の水分を吸収するとともに、暖房器具の電源を切った後の急激な温度低下による該シートと床面との間での結露の発生を防止する結露防止シートに関する。
【０００２】
【従来の技術】
電気こたつを使用するときにはこたつ内の熱気を外に漏れ難くするためにこたつの下にこたつ用の敷布団やカーペット等が敷かれている。これらの敷布団やカーペットはこたつを使用中には人の体から出る蒸気や汗を吸収している。そして、こたつの電源を切ると、こたつ内の温度は低下し、それに連れて敷布団やカーペットの温度も低下する。さらには床面の温度も低下し、特に寒さが厳しい時には床面の温度低下が早く、水分を吸収した敷布団やカーペット中の湿気が冷めた床面に触れることにより、床面に結露が発生する。また、ホットカーペット使用時も同様な理由により床面に結露が発生する。このように発生した結露を長期間放置すると、敷布団やカーペットあるいは床面の腐食やカビ、ダニ等の発生の原因となる。
【０００３】
また、布団やマットレスの下にも結露が発生することがある。エアコン、ストーブあるいはファンヒーター等の暖房器具で室内が暖められた状態にある時には壁や床も暖められている。こういう状態で床に布団やマットレスを敷き就寝に入る。朝起きるまで暖房を使用する場合は問題ないが、タイマー機能を使用して一定時間後に暖房器具の電源が切れるようにしているのが一般的である。その場合、暖房器具の電源が切れると壁や床の温度は急激に低下する。そして、体から出た汗等の水分を吸収した布団やマットレス中の湿気が冷めた床面に触れることにより、床面に結露が発生する。このように発生した結露を長期間放置すると、布団やマットレスあるいは床面の腐食やカビ、ダニ等の発生の原因となる。
【０００４】
布団やマットレスの湿気を取り除く手法としては、特開平９−１３７８５号公報、特開２０００−５１５８６号公報、あるいは特開２００１−５４４４６号公報等に吸湿性あるいは吸水性を有する繊維質基材を敷布団やマットレスの下あるいは上側に敷いて使用しこれらに布団やマットレスの湿気を吸収させる方法が提案されている。しかしこれらは、夏の暑い時期あるいは梅雨のジメジメした時期に使用することを前提として提案されたものであり、前述したような冬の急激な温度変化で発生する結露の対策としては十分なものではなかった。さらに最近では畳ではなくフローリングの床に直接こたつやホットカーペットあるいは布団を敷いて使用するケースが増えており、結露の問題も増加している。
【０００５】
【発明が解決しようとする課題】
本発明はこのような従来技術の問題点を解消するためになされたものであり、その目的は優れた吸湿性および吸水性を有し、特に冬に使用するこたつ用の敷布団やホットカーペット等の暖房器具あるいは敷布団の下に敷きこれらの湿気を吸収するとともに、急激な温度変化で発生する床面の結露を防ぐことができる結露防止シートを提供することにある。
【０００６】
【課題を解決するための手段】
本発明の結露防止シートは、前記課題を解決するために以下のような構成を有する。
すなわち、本発明は、吸湿性繊維および吸水性繊維を含有する短繊維集合体と透湿度が１００ｇ／ｍ２／２４ｈｒ以下であるフィルムとが積層一体化されたことを特徴とする結露防止シートを要旨とする。
【０００７】
【発明の実施の形態】
以下に本発明の実施の形態について説明する。
本発明に用いる吸湿性繊維とは２０℃、相対湿度８０％の条件下で１０重量％以上の吸湿性能を有するものである。例えばシルク、ウール等の天然繊維、架橋アクリル酸ナトリウム塩系繊維、アクリル繊維の表面を架橋処理後加水分解したアクリレート系繊維等の合成繊維等が挙げられる。これらの繊維は単独で用いてもよいし、二種以上を混合して用いてもよい。
【０００８】
吸湿性繊維の混率は任意であり、使用する繊維の吸湿性能や強度に合わせて使用することができるが、短繊維集合体としての形態保持性や強度の観点から５〜５０重量％の範囲が好ましい。さらに好ましくは１０〜４０重量％である。
【０００９】
また、本発明に用いる吸水性繊維とは生理食塩水に対する吸水倍率が自重の１０倍以上の吸水性能を有するものである。例えばセルロース系繊維、パルプ等の天然繊維、架橋アクリル酸ナトリウム塩系繊維、アクリル繊維の表面を架橋処理後加水分解したアクリレート系繊維等の合成繊維あるいは吸水性物質を含有させた繊維等が挙げられる。これらの繊維は単独で用いてもよいし、二種以上を混合して用いてもよい。
【００１０】
吸水性繊維の混率は任意であり、使用する繊維の吸水性能や強度に合わせて使用することができるが、短繊維集合体としての形態保持性や強度の観点から５〜５０重量％の範囲が好ましい。さらに好ましくは１０〜４０重量％である。
【００１１】
本発明の短繊維集合体には吸湿性繊維と吸水性繊維以外の繊維も混用することができる。これらの繊維の種類は特に限定しない。合成繊維、天然繊維、再生繊維等、全ての繊維を使用することができる。また、中空繊維、難燃繊維、消臭繊維、防カビ繊維等の機能性繊維を使用することにより、それぞれの機能を付与することもできる。
【００１２】
短繊維集合体の形態としては、ニードルパンチ、サーマルボンド、ケミカルボンド等によって製造される不織布、あるいは織物、編み物等の布帛が挙げられる。
【００１３】
短繊維集合体の目付けは水分の吸収量およびシートとしての取扱性の観点から２００〜２０００ｇ／ｍ２の範囲が好ましい。さらに好ましくは５００〜１５００ｇ／ｍ２、最も好ましくは８００〜１２００ｇ／ｍ２である。
【００１４】
本発明に用いるフィルムはその素材は特に限定しないが、透湿度が１００ｇ／ｍ２／２４ｈｒ以下である必要がある。さらに好ましくは５０ｇ／ｍ２／２４ｈｒ以下である。透湿度が１００ｇ／ｍ２／２４ｈｒを超えると不織布が吸収した湿気がフィルムを通過し床面と接触して床面に結露が発生する恐れがあるためである。
【００１５】
なお、本発明でいう透湿度は、ＪＩＳ　Ｚ０２０８による測定値である。
【００１６】
また、本発明に使用するフィルムはアルミ蒸着フィルムまたはアルミ箔に樹脂をラミネートしたフィルムのいずれかであることが好ましい。熱伝導率の高いアルミを積層することにより急激に低下した床面の温度を素早くフィルムに伝えることができ、フィルムと短繊維集合体の間に効果的に結露を発生させることができるためである。
【００１７】
また、本発明の短繊維集合体とフィルムは全面において積層一体化されている必要がある。全面で一体化することにより、フィルムと短繊維集合体の間で発生した結露を吸水性繊維が効果的に吸収することができるためである。
【００１８】
短繊維集合体とフィルムを積層一体化する方法は特に限定しない。サーマルボンドやケミカルボンド等によって接着することができる。
【００１９】
本発明の短繊維集合体は吸湿性繊維および吸水性繊維を含まない表皮層と吸湿性繊維および吸水性繊維を含んだ吸湿吸水層の２層構造としてもよい。この場合、フィルムは吸湿吸水層側に積層する必要がある。表皮層の素材は特に限定しない。紙、布帛、不織布等、透湿性を有するものであれば使用可能である。あるいはこれらの積層体も使用できる。
【００２０】
本発明の短繊維集合体には吸湿性繊維および吸水性繊維の２種類の繊維を含まなければならないが、これら両方の機能を有する吸湿・吸水性繊維であれば１種類の繊維のみの使用でもよい。このような繊維としては架橋ポリアクリル酸ナトリウム塩系繊維であるカネボウ合繊（株）社製、商品名「ベルオアシス」が挙げられる。
【００２１】
吸湿・吸水性繊維の混率は任意であり、使用する繊維の吸湿および吸水性能や強度に合わせて使用することができるが、短繊維集合体としての形態保持性や強度の観点から１０〜６０重量％の範囲が好ましい。さらに好ましくは１５〜５０重量％である。
【００２２】
【実施例】
以下、本発明を実施例により詳しく説明するが、本発明はこれに限定されるものではない。
【００２３】
（実施例１）
生理食塩水に対する吸水倍率が自重の５０倍である東洋紡績（株）社製吸水性繊維「ランシール」（５．６ｄｔｅｘ、５１ｍｍ）３０重量％と２０℃、相対湿度８０％の条件下での吸湿率が５５重量％である東洋紡績（株）社製吸湿性繊維「モイスケアー」（４．４ｄｔｅｘ、５０ｍｍ）３０重量％およびレギュラーポリエステル繊維（４．４ｄｔｅｘ、５１ｍｍ）４０重量％を混綿し、カーディング、クロスレイ、ニードルパンチによる通常の処理を施し、目付け１０００ｇ／ｍ２、厚さ５ｍｍの不織布（縦１８０ｃｍ、横９５ｃｍ）を作製した。該不織布に透湿度５．７ｇ／ｍ２／２４ｈｒの東セロ（株）社製二軸延伸ポリプロピレンフィルム「ＨＣ−ＯＰ　＃２５」を熱接着により積層一体化し、本発明の結露防止シートを得た。該結露防止シートの吸湿性能および結露防止性能を以下の方法に基づいて評価した。その結果を表１に示す。
【００２４】
（吸湿性能）
２０〜４０歳までの男性３名および女性３名のパネラーを対象に、１〜２月にモニターテストを以下の方法にしたがって福井県で行なった。
【００２５】
まず、エアコンにて部屋の温度を２５℃に保った状態でフローリングの床に結露防止シートをフィルム面を下にして敷き、その上に敷布団、アクリル製毛布、掛け布団の順番で重ねた。次いで、エアコンのオフタイマーを１時間にセットし、パネラーに８時間就寝してもらい、結露防止シートの就寝前後の重量増加を調べた。
【００２６】
この操作を３回（３日間）行ない、重量増加の平均値を求めた。その結果を表１に示す。
【００２７】
（結露防止性能）
前記「吸湿性能」の測定後に結露防止シート下の床面の結露状態をパネラーに観察してもらい、以下の評価基準に基づいて評価を行なった。
【００２８】
○：３日間通して床面に結露がまったくなかった。
△：３日間のうち、１〜２日床面に結露が見られた。
×：３日間全て床面に結露が見られた。
【００２９】
（実施例２）
フィルムを透湿度１．０ｇ／ｍ２／２４ｈｒの東セロ（株）社製アルミ蒸着二軸延伸ポリプロピレンフィルム「ＭＬ−ＨＣ−ＯＰ　＃３０」とし、該フィルムを実施例１と同様の不織布に熱接着により積層一体化し、本発明の結露防止シートを得た。該結露防止シートを実施例１と同様の方法で評価し、その結果を表１に示す。
【００３０】
（実施例３）
生理食塩水に対する吸水倍率が自重の４５倍、２０℃、相対湿度８０％の条件下での吸湿率が８５重量％であるカネボウ合繊（株）社製吸水・吸湿性繊維「ベルオアシス」（１０ｄｔｅｘ、５１ｍｍ）４０重量％とレギュラーポリエステル繊維（４．４ｄｔｅｘ、５１ｍｍ）６０重量％を混綿し、カーディング、クロスレイ、ニードルパンチによる通常の処理を施し、目付け８００ｇ／ｍ２、厚さ４ｍｍの吸湿吸水層用不織布を作製した。また、レギュラーポリエステル繊維（４．４ｄｔｅｘ、５１ｍｍ）１００重量％をカーディング、クロスレイ、ニードルパンチによる通常の処理を施し、目付け２００ｇ／ｍ２、厚さ２ｍｍの表皮層用不織布を作製した。これらの不織布をニードルパンチにより積層一体化し、二層構造の不織布（縦１８０ｃｍ、横９５ｃｍ）を得た。該不織布の吸湿吸水層側に透湿度４６．０ｇ／ｍ２／２４ｈｒのダイセル化学工業（株）社製ポリエステルフィルム「ＫＥＴ−７０００　＃１２」を熱接着により積層一体化し、本発明の結露防止シートを得た。該結露防止シートを実施例１と同様の方法で評価し、その結果を表１に示す。
【００３１】
（比較例１）
実施例１と同様に不織布を作製し、この不織布のみを結露防止シートとした。該結露防止シートを実施例１と同様の方法で評価し、その結果を表１に示す。
【００３２】
（比較例２）
フィルムを透湿度２４０ｇ／ｍ２／２４ｈｒの出光ユニテック（株）社製二軸延伸ナイロンフィルム「ユニロンＧ‐１００」とし、該フィルムを実施例１と同様の不織布に熱接着により積層一体化し、結露防止シートを得た。該結露防止シートを実施例１と同様の方法で評価し、その結果を表１に示す。
【００３３】
【表１】
2004073617.tif 000002
【００３４】
表１に示された結果から、実施例１〜３で得られた結露防止シートは、敷布団から１日あたり３８０〜５６０ｇもの大量の水分を吸収するものであることが判る。
【００３５】
比較例１および２も３５０〜４５０ｇの水分を吸収しているが、比較例１はフィルムを積層していないため床面に大量の結露が発生しており、また、比較例２は透湿度の高いフィルムを使用していたため比較例１よりは少なかったものの床面に結露が発生していた。これに対し、実施例１〜３は透湿度の低いフィルムを使用していたため床面に結露はまったく発生しなかった。
【００３６】
【発明の効果】
以上のように、本発明によれば、冬場に使用する電気こたつ用敷布団、ホットカーペット等の暖房器具の下あるいは寝具用敷布団の下に敷き、体から出る汗等の水分をこれらから吸収し快適性を与えるとともに、暖房器具の電源を切った後の急激な温度低下により発生する床面の結露を防止することができる結露防止シートを得ることができる。